Podtech/llm-jp-corpus-v4-ja_patent huggingface dataset:
(57)【要約】      （修正有）【課題】暖房を切っても一定時間暖かさが持続し、省エネ効果のある蓄熱式省エネ全館床暖房システムを提供する。【解決手段】床暖房の構造を下部の方から断熱材・下地板・アルミシート・架橋ポリエチレン管を埋没した蓄熱材・床材の順で構成し、まず、アルミシートで下方への熱伝導を遮断して、全熱量が蓄熱層を通じて床へ向かうようにする。【選択図】図１
0003167916.tif 000002
【実用新案登録請求の範囲】
【請求項１】
（１）下地板と断熱材を組み合わされたパネルの上部に、断熱材とアルミシートを敷き、下方への熱伝導と熱輻射を遮断して上方へ反射。
（２）アルミシートの上にモルタルで造られた遠赤外線を発散する蓄熱層を充填。
（３）蓄熱層の中に温水の不凍液が通る架橋ポリエチレン管を敷設。
上記（１）（２）（３）から構成されることを特徴とする蓄熱式省エネ全館床暖房システム。
【考案の詳細な説明】
【技術分野】
【０００１】遠赤外線を発散する蓄熱式省エネ全館床暖房システムに関する。
【背景技術】
【０００２】全館床暖房の場合、停電とほぼ同時に暖房も停止してしまうほか、蓄熱層がないと直接的な熱伝導で柔らかな暖かさがない。
【考案の開示】
【考案が解決しようとする課題】
【０００３】アルミシートの上に遠赤外線を発散する蓄熱層を敷設して、全熱量を上方へ向け、体感温度の上昇を図り、更に停電等の場合に数時間、蓄熱効果による暖房を得ようとするものである。
【課題を解決するための手段】
【０００４】本考案は、（１）下地板と断熱材を組合せたパネルの上に根太を定間隔に設置、その根太間にアルミシートを敷設し反射板にする。（２）アルミシートの上に架橋ポリエチレン管を敷設し、それに蓄熱材のモルタルを充填して蓄熱層にし、その上に床材を設置する。これら（１）（２）から構成される蓄熱式省エネ全館床暖房システムである。
【考案の効果】
【０００５】床暖房の蓄熱層から下方への熱伝導をアルミシートと断熱材で遮断することによって、蓄熱層の全熱量を室内に向け、体感温度を上昇させることができる。また、モルタルの蓄熱層を敷設することによって、直接的な熱伝導に変わって柔らかい暖かさになるほか、停電等の場合はもとより暖房を切っても数時間蓄熱による暖房が継続し、省エネ効果になっている。
【考案を実施するための最良の形態】
【０００６】本考案を実施例にて説明する。
【実施例】
【０００７】図１は、１階の断面図で厚さ２８ｍｍの下地板（１）と厚さ６０ｍｍの硬質ウレタンフオーム断熱材（７）を組合せたパネルの上に高さ１８ｍｍの根太（３）を３００ｍｍ間隔で設置する。その根太の間に厚さ０．２ｍｍのアルミシート（２）を敷き、その上に温水の不凍液を通す１３ｍｍの架橋ポリエチレン管（４）を設置する。
更に根太間のポリエチレン管が埋没するようにモルタルの蓄熱材（５）を間断なく充填し、その上に床材を（６）を設置する。【０００８】図２は、２階の断面図で厚さ２８ｍｍの下地板（１）の上に高さ３８ｍｍの根太（３）を３００ｍｍ間隔に設置する。その根太の間の下部に厚さ２０ｍｍのポリスチレン断熱材（７）を設置する。その上にアルミシートを敷き、更に温水の不凍液を通す架橋ポリエチレン管（４）を設置し、それを埋没するようにモルタルの蓄熱材（５）を間断なく充填し、その上に床材を（６）を設置する。
【図面の簡単な説明】
【０００９】
【図１】図１は、１階部分の蓄熱式省エネ全館床暖房の断面図
【図２】図２は、２階部分の蓄熱式省エネ全館床暖房の断面図
【符号の説明】
【００１０】１、  下地板
２、  アルミシート
３、  根太
４、  架橋ポリエチレン管
５、  蓄熱材
６、  床材
７、  断熱材
【図１】
0003167916.tif 000003
【図２】
0003167916.tif 000004
(57)【要約】      （修正有）【課題】ラップの芯にミシン目を入れ、ラップの芯を分断させ易くする事が出来るようにしたキッチンバサミを提供する。【解決手段】キッチンバサミの中央の留め具２と握り部分３の間に楕円形部分５を設け、該両面内側にラップの芯を挟み込み、片手もしくは両手を使って握り部分を握りしめた際、ラップの芯にミシン目が入る四角錐の先端が尖った材質の突起４を数個ずつ該両面内側に設けます。これにより、ラップの芯にミシン目を入れ、分断を容易にします。【選択図】図１
0003167917.tif 000002
【実用新案登録請求の範囲】
【請求項１】
キッチンバサミの中央の留め具と握り部分の間に楕円形部分を設け、該両面内側にラップの芯を挟み込み、片手もしくは両手を使って握り部分を握りしめた際、ラップの芯にミシン目が入る四角錐の先端が尖った材質の突起を数個ずつ該両面内側に設けた事を特徴とするキッチンバサミ。
【請求項２】
前記キッチンバサミの突起部分は、通常の状態で手が触れても、手が傷つかない範囲の突起の先端とした事を特徴とする請求項１に記載のキッチンバサミ。
【考案の詳細な説明】
【技術分野】
【０００１】
本発明は、一般家庭で広く使用されているキッチンバサミを使って、ラップの芯にミシン目を入れ、ラップの芯を分断させ易くする事に関する。
【背景技術】
【０００２】
この項目に該当するものは、見当たりません。
【考案の概要】
【考案が解決しようとする課題】
【０００３】
ラップの芯を捨てる際、そのままの形状でゴミ箱に捨てると、他のゴミを捨てる際の妨げになり、また、ゴミ箱にゴミが容易に収まりづらくなります。
【０００４】
かといって分断するには、おもに手、膝等を使って分断しなければならず、身体に負担が掛かります。また、年配の方にとっては多大な負担となり、やむを得ず、そのままの形状でゴミ箱に捨てることになります。
【課題を解決するための手段】
【０００５】
上記課題を解決するために、本発明においては、キッチンバサミの中央の留め具と握り部分の間に楕円形部分を設け、該両面内側にラップの芯を挟み込み、片手もしくは両手を使って握り部分３を握りしめた際、ラップの芯にミシン目が入る四角錐の先端が尖った材質の突起を数個ずつ該両面内側に設けた事を特徴とするキッチンバサミを提供する。
【０００６】
前記キッチンバサミの突起部分は、通常の状態で突起に手が触れても手が傷つかない範囲の突起の先端とした事を特徴とするキッチンバサミを提供する。
【考案の効果】
【０００７】
上記キッチンバサミの、中央の留め具と握り部分の間の楕円形部分にラップの芯を挟み込み、片手もしくは両手を使って握り部分を握りしめ、ラップの芯にミシン目を入れます。これによりラップの芯を分断する事が容易になります。また、１度ミシン目を入れ、その後少しずらして再度ミシン目を入れると分断がより容易になります。
【０００８】
従来のキッチンバサミの中央の留め具と握り部分の間にある楕円形部分の内側突起部分の形状は、物を挟んだり、割ったり、また、容器等の蓋部を開け易くする為の形状で、ラップの芯にミシン目を入れる事は出来ません。
【０００９】
本発明のキッチンバサミは、ラップの芯にミシン目を入れる事が出来、また、従来のキッチンバサミ同様、物を挟んだり、割ったり、あるいは容器等の蓋部を開け易くする事が出来ます。
【図面の簡単な説明】
【００１０】
【図１】全体図
【図２】ラップの芯を挟み込む部分図、及び突起部分図
【考案を実施するための形態】
【００１１】
以下、本発明の実施形態を図１〜図２に基づいて説明する。
【００１２】
図においては、２は中央の留め具で、３は握り部分、４はラップの芯を挟み込みミシン目を入れる為の四角錐の突起部分、５は中央の留め具と握り部分の間の楕円形部分である。
【００１３】
以下、上記構成の動作を説明する。ラップの芯を当該キッチンバサミ１の中央の留め具２と握り部分３の間にある楕円形部分５に挟み込み、片手もしくは両手を使って握り部分３を握りしめます。その際、楕円形部分５の内側に設けてある四角錐の突起４により、ラップの芯にミシン目が入ります。その後分断します。
【００１４】
以上のように、本実施形態によれば当該キッチンバサミを使ってラップの芯にミシン目を入れることが出来、ラップの芯を分断する事が容易になります。
【００１５】
以上本発明の実施例を説明したが、突起部分の形状は四角錐と限定されるものではなく、ラップの芯にミシン目が入る突起の先端であれば、本発明を適用出来る。
【符号の説明】
【００１６】
１  当該キッチンバサミ
２  中央の留め具
３  握り部分
４  四角錐の突起部分
５  楕円形部分
【図１】
0003167917.tif 000003
【図２】
0003167917.tif 000004
(57)【要約】      （修正有）【課題】酒粕の旨み成分や酵素成分などは保持しつつ、様々な問題を引き起こす酵母を不活化し、使用した食品の発酵制御を容易にし、使用環境の生物的汚染をなくし、さらに密閉保存に適するような発酵調味料を提供する。【解決手段】酒粕を３０℃±５℃の環境下で２４時間以上熟成させたのち、磨砕装置を用いて磨砕してペースト状に均質化した発酵調味料を、密閉包装袋に封入する。【選択図】図１
0003167991.tif 000002
【実用新案登録請求の範囲】
【請求項１】
酒粕を３０℃±５℃の環境下で２４時間以上熟成させたのち、磨砕装置を用いて磨砕してペースト状に均質化した発酵調味料を密閉包装袋に封入したことを特徴とする、密閉包装袋に封入された発酵調味料。
【考案の詳細な説明】
【技術分野】
【０００１】
本考案は、密閉包装に封入された、酒粕由来の発酵調味料に関する。
【背景技術】
【０００２】
酒粕は清酒の製造過程で得られる副産物であり、約８重量％のアルコール分の他、固形分として約２０質量％の炭水化物、約１５質量％のタンパク質、約１．５質量％の脂肪のほか、数多くの発酵生産物、酵素、酵母を含み、カロリ−も高く、旨み成分に富んだ食品である。したがって、酒粕は、甘酒原料のほか、生姜湯、カリン湯、かす汁、酒まんじゅうなどの食用、パンなどの風味増強剤、白みそ、みりん風調味料の原材料として用いられるのみならず、奈良漬、わさび漬、魚肉類のかす漬などの漬物原材料としても用いられている。
このような酒粕から、均質で異物のない高品質の酒粕液を得るための技術として、下記の特許文献１記載の発明が開示されている。
【先行技術文献】
【特許文献】
【０００３】
【特許文献１】特開２００６−１４７０１号公報
【考案の概要】
【考案が解決しようとする課題】
【０００４】
酒粕には上述した通り、清酒の醸造に用いられた酵母が残存している。このような残存酵母は依然として活性を保ち、発酵能力を保持しているものである。よってこれをパンなどの風味増強剤として用いるときには、パン自体の発酵に用いるイーストの他に酒粕由来の酵母が混入することになり、発酵が過剰になったり、あるいは相殺したりすることで、パンの発酵制御が困難になることがあった。このような発酵制御の困難は、パン以外の発酵食品に酒粕を用いるときに問題となり得る。さらに酵母の発酵作用により加工食品の異味、異臭、変色の原因となることもある。
また、パン工場は一般に生菌数がきわめて少ない高度な清浄環境におかれているものであるが、このような環境に酒粕を導入することで、酒粕由来の酵母で汚染されることも懸念される。
【０００５】
しかも酒粕は保存中に残存する酵母の発酵作用により二酸化炭素を持続的に発生させ続けるため、密閉保存には適していない。発生した二酸化炭素により密閉容器や包装が膨張し、破裂の可能性があるからである。したがって酒粕の保存には、非密閉容器ないし包装を用いるか、収納する酒粕に対して十分余裕のある体積の容器ないし包装を用いる必要があり、長期の保存に適さず、また、収納効率や運搬効率も悪いものであった。
上記の問題点に鑑み、本件考案は、酒粕の旨み成分や酵素成分などは保持しつつ、様々な問題を引き起こす酵母を不活化し、使用した食品の発酵制御を容易にし、使用環境の生物的汚染をなくし、さらに密閉保存に適するようなものとすることを課題とする。
【課題を解決するための手段】
【０００６】
上記の課題に鑑み、本件考案は、酒粕を３０℃±５℃の環境下で２４時間以上熟成させたのち、磨砕装置を用いて磨砕してペースト状に均質化した発酵調味料20を密閉包装袋10に封入したことを特徴とする。
磨砕装置としては特に限定はないが、各種の擂り潰し機、融砕機、ミル等を使用することができる。これらのうちではジューサーミルを用いることが物性の点では好ましい。しかし、工業的な生産効率の面からは擂り潰し機及び融砕機が好ましく、その中で特にマスコロイダー（商品名）として市販されているものが好適である。これにより上記温度条件での熟成及び磨砕によって酵母は失活するものの、麹由来の酵素類は活性を保つことになる。このように磨砕された発酵調味料20を、ポリエチレン等の包装袋へ詰めて、空気を追い出した状態で開口部を熱圧着により密閉すれば、余分な容積を取ることもない。そして、このように密閉包装して比較的長期間保存した場合でも、酵母は失活しているので発酵調味料20はそれ以上発酵せず、二酸化炭素の発生により密閉包装袋10の膨張や破裂は起こらない。
【０００７】
しかも、発酵調味料20内には活性を有する酵母は存在しないため、たとえばパン等の風味付けとして用いた場合でも、パンのイースト発酵に影響を与えることはない。しかも、酵母による工場等の汚染の心配もない。その一方で、酒粕中の麹菌由来の酵素は活性を保ち、また旨み成分にも変化はないため、酒粕のよい点はそのまま保持されているため、これまで通り酒粕として様々な食品に適用可能である。
なお、磨砕前に、３０℃±５℃の環境下で２４時間以上熟成させることにより、あらかじめ酵母の活性を弱め生菌数を減じておくこととなり、磨砕による酵母の失活がより効率よく行われることとなる。
【考案の効果】
【０００８】
本考案は上記のように構成されているので、酒粕の旨み成分や酵素成分などは保持しつつ、様々な問題を引き起こす酵母を不活化し、使用した食品の発酵制御を容易にし、使用環境の生物的汚染をなくし、さらに密閉保存に適するような発酵調味料を提供することができる。
【図面の簡単な説明】
【０００９】
【図１】本件考案の実施の形態に係る、密閉包装袋に封入された発酵調味料を斜視図で示す。
【図２】図１のＡ−Ａ断面を示す。
【考案を実施するための形態】
【００１０】
清酒の製造過程で得られた酒粕を、ポリエチレン袋に入れて、３０℃±５℃の環境下に、２４時間以上置き温度処理による熟成を施し、その温度処理後の酒粕をマスコロイダー（商品名）による磨砕処理に供した。この熟成及び磨砕処理により、酒粕に含有されていた酵母は失活するが、麹菌由来の酵素類及び旨み成分等は良好に保持されている。
具体的には、回転砥石と固定砥石との間隔は６〜１２ｍｍ、回転砥石の回転速度は１，０００〜２，０００ｒｐｍに設定した前記マスコロイダーに、前記温度処理後の酒粕を供給し、上記条件で磨砕を施した。磨砕された酒粕は発酵調味料20として、図１に示すような、ピロー包装のポリエチレン製の密閉包装袋10に封入される。具体的には、一端縁11が熱圧着されたポリエチレン袋に発酵調味料10を流し入れ、空気を除去しつつ、他端縁12を熱圧着することで、図２の断面図に示すように、発酵調味料20が封入された密閉包装袋10が形成されることになる。
【００１１】
この状態で比較的長期間保存したとしても、発酵調味料20の内部の酵母は失活しているので、発酵により二酸化炭素が発生することなく、密閉包装袋10の膨張及び破裂のおそれはない。
【産業上の利用可能性】
【００１２】
本考案は、酒粕由来の発酵調味料として利用可能である。
【符号の説明】
【００１３】
10  密閉包装袋          11  一端縁              12  他端縁
20  発酵調味料
【図１】
0003167991.tif 000003
【図２】
0003167991.tif 000004
(57)【要約】      （修正有）【課題】化粧を施さなくても、顔面や首筋などに生じた皺を目立たないようにする皺伸ばし具を提供する。【解決手段】弾性を有するベルト１の両端部に、両面粘着シート片５、５を取り付けるフック２、２をそれぞれ設ける。各フック２、２に両面粘着シート片５、５をそれぞれに装着し、これら両面粘着シートを皮膚に接着し、ベルト１の弾性により、その長さ方向に引っ張ると、皮膚が引き伸ばされて皺を伸ばすことができる。【選択図】図１
0003167999.tif 000002
【実用新案登録請求の範囲】
【請求項１】
弾性を有するベルトの両端部に、両面粘着シート片を取り付けるフックをそれぞれ設けた皺伸ばし具。
【請求項２】
前記バンド部分がスライド部材により長さ調整できる請求項１に記載の皺伸ばし器具。
【考案の詳細な説明】
【技術分野】
【０００１】
この考案は、顔面や首筋などの皮膚のたるみを持ち上げ皺をとる皺伸ばし具に関するものである。
【背景技術】
【０００２】
一般に、肌の老化とともに顔面や首筋に現れる皺は、その人の年齢を周囲に感じさせやすいので、この皺を気にする女性は、化粧を施してこうした皺を目立たなくしている。
【考案の概要】
【考案が解決しようとする課題】
【０００３】
しかしながら、このような化粧では、加齢によるたるみからくる大きな皺を隠すことはできない。そこで、この考案の課題は、化粧を施さなくても、顔面や首筋などに生じた皺を目立たないようにすることにある。
【課題を解決するための手段】
【０００４】
こうした課題を解決するため、この考案では、弾性を有するベルトの両端部に、両面粘着シート片を取り付けるフックをそれぞれ設けた皺伸ばし具を提供したのである。
【考案の効果】
【０００５】
このような皺伸ばし具は、前記各フックに両面粘着シート片をそれぞれ取り付け、これら粘着シートを皮膚に接着し、ベルトの弾性によりその長さ方向に引っ張ると、前記皮膚が引き伸ばされて皺を伸ばすことができる。したがって、例えば顔面の皺を伸ばそうとするには各接着部を髪の生え際に、首筋の皺を伸ばそうとするには両耳の下部に各接着部をそれぞれ接着し、ベルトを頭部や首に架け渡すと、ベルトの弾性により顔面や首筋の皮膚が頭の後方へ向けて引っ張られ、皺を伸ばすことができるのである。
【図面の簡単な説明】
【０００６】
【図１】本発明の斜視図
【図２】使用例を示す図
【考案を実施するための形態】
【０００７】
図１および図２に示す皺伸ばし具は、ゴム地からなるベルト１の両端部それぞれに、フック２、２を設けた構成とされている。図に基づいて説明する。ベルト１には、その長さ方向にスライドする８字形状のスライド部材３が設けられている。このスライド部材３は、ベルト１を二つに折り返した折り返し端部に粘着されており、ベルト１の長さ方向に適宜スライドさせ、前記折り返し部分の長さを違えることにより、ベルト１の長さを調整することが可能となっている。各フック２、２は、前記ベルト１の取付孔４、４を設けてそれぞれ構成されている。
【実施例】
【０００８】
このような皺伸ばし具は、その使用に際し、図示のように前記各フック２、２に両面粘着シート片５、５の穴をひっかけ、これら両面粘着シート片５、５を皮膚に接着し、ベルト１の弾性によりその長さ方向に引っ張ると、前記皮膚が引き伸ばされて皺を伸ばすことができる。したがって、図２に示すように、例えば顔面の皺を伸ばそうとするには各接着部を髪の生え際に、首筋の皺を伸ばそうとするには両耳の下部に各接着部をそれぞれ接着し、ベルト１を頭部や首に架け渡すことにより、ベルト１の弾性により顔面や首筋の皮膚が頭の後方へ向けて引っ張られ、皺を伸ばすことができるのである。
【０００９】
このとき、ベルト１を目立たなくするには、かつらをかぶったり頭髪で覆ったりすればよい。また風などで顔面の髪が吹き上げられて髪の生え際や耳下部に接着した粘着シート片５，５が見えないようにするためには、両面粘着シートの裏面の粘着部分に自毛を接着することで、粘着シート片５、５を覆い隠すことができる。
【００１０】
また、前記フック２、２は、黒色であるため目立ちにくく、両面粘着シート片５、５に肌色や透明のものを使用することとも相まって、皺伸ばし具の使用を周囲の人に悟らせないようにできる。また、ベルト１の引っ張りが強すぎたり弱すぎたりする場合には、前記スライド部材３を操作してベルト１の長さが調整できる。
【００１１】
以上説明したように、この考案に係る皺伸ばし具は、皺が生じた皮膚をベルトの弾性によって伸ばすことができるので、大きな皺でも目立たなくすることができ、過度な化粧を施す必要がなくなる。また、粘着シート片を両面粘着のものにすることにより、自毛で粘着シート片を覆い隠すことができ、周囲に対してわかりにくくすることができる。
【００１２】
ベルトの長さを調整可能にすれば、必要時のみの引き上げが可能となり、不必要なときはベルトをゆるめて皮膚をリラックスさせることができ、よって、長時間にわたる皮膚への引っ張りの負担を軽減することができる。また、様々な大きさの頭部の人にも対応することができるので、非常に使い勝手がよい。
【符号の説明】
【００１３】
１  ベルト
２  フック
３  スライド部材
４  取付孔
５  両面粘着シート片
【図１】
0003167999.tif 000003
【図２】
0003167999.tif 000004
(57)【要約】      （修正有）【課題】寝装用、カーペット、人体保温用に好適なガーゼ地組織を織り込んだ二重ガーゼ毛布を提供する。【解決手段】ガーゼ部１と起毛毛布部２からなる二重織物であり、前記ガーゼ部１と起毛毛布部２は接結糸３で止められており、前記接結糸３で止められた部分が直線状あるいは千鳥線状に形成して一体構造二重織ガーゼ毛布を構成する。毛布地に用いる糸は、綿、ウール、アクリル、ポリエステル、ナイロン等いずれでもよい。また、ガーゼ地に用いる糸は、特に限定されないが、肌触り、吸湿性が良く、柔らかさ保持の面で、綿糸が好ましい。【選択図】図１
0003167958.tif 000002
【実用新案登録請求の範囲】
【請求項１】
（１）ガーゼ部と（２）起毛毛布部からなる二重織物であり、前記（１）ガーゼ部と（２）起毛毛布部は（３）接結糸で止められており、前記（３）接結糸で止められた部分が直線状あるいは千鳥線状に形成されていることを特徴とする一体構造二重織ガーゼ毛布。
【考案の詳細な説明】
【技術分野】
【０００１】
本考案は生活資材、殊に、寝装用、カーペット、人体保温用に好適ながーゼ地組織を織り込んだ二重ガーゼ毛布に関する。
【背景技術】
【０００２】
従来、通気性があって、吸湿、吸水性のよいガーゼ地とパイル地とを二重織にしたタオルあるいは、吸湿性が良いガーゼを綿毛布地と二重織にして、表面を起毛して毛布とする試みが知られている。
【先行技術文献】
【特許文献】
【０００３】
【特許文献１】特開平１０−１１７９０９号公報
【考案の概要】
【考案が解決しようとする課題】
【０００４】
前記する従来公知の毛布は、製織後に毛布の表面を起毛すると毛布に収縮が起こり、同時に裏のガーゼにたるみが発生するといった不具合が生じる。また、このような問題を解決するために、ガーゼと毛布を別々に作成した後、キルト縫製した、所謂、張り合わせ技術が知られているが、この場合、作成の工程が増加しコストも大きくなることが問題である。これらの従来技術の問題を解消することが本考案での課題である。
【課題を解決するための手段】
【０００５】
本考案は、（１）ガーゼ部と（２）起毛毛布部からなる二重織物であり、前記（１）ガーゼ部と（２）起毛毛布部は（３）接結糸で止められており、前記（３）接結糸で止められた部分が直線状あるいは千鳥線状に形成されていることを特徴とする一体構造二重織ガーゼ毛布である。
【考案の効果】
【０００６】
本考案の一体構造二重ガーゼ毛布は、従来のガーゼ毛布に比べて厚手でボリューム感があり、表面がガーゼ織物で形成され、裏面が起毛毛布で形成されており、表ガーゼと裏毛布が止め糸で直線状あるいは千鳥線状に接結され、一体構造に形成されている。夏はサラッとした感じ、冬は保温性があって暖かく、発汗放出、保温、吸水性も高い。また、通気性が良く、保温性も兼ね備えており、家庭用洗濯機で洗濯が可能であり乾燥が早いのも特徴の一つである。更に、ガーゼ組織は、肌触りが良く、柔らかいのが特徴であり、紋織り等を付与すれば、美的感覚、デザイン性効果は抜群のものとなる。
【０００７】
特に、季節によって表と裏の使い分けが出来るので、より利便性が付加される。また、表と裏の糸質を変えることによって表側と裏側の機能性に変化を持たせる事ができる。
【図面の簡単な説明】
【０００８】
【図１】本考案一体構造二重織ガーゼ毛布実施例１の見取図である。
【図２】本考案一体構造二重織ガーゼ毛布実施例１の織物組織図である。
【図３】本考案一体構造二重織ガーゼ毛布実施例１の織前から見た断面図である。
【考案を実施するための形態】
【０００９】
本考案は、表ガーゼ付裏毛布で形成され、表と裏は接結一体構造二重織になっており、裏の毛布部分は起毛により、毛布を形成し、表ガーゼと裏毛布との二重織の止め部分が経糸方向に直線状又は千鳥線状に設けられていることを特徴としたガーゼ毛布である。
【００１０】
本考案の毛布地に用いる糸は、綿、ウール、アクリル、ポリエステル、ナイロン等いずれでもよい。
【００１１】
本考案のガーゼ地に用いる糸は、特に限定されないが、肌触り、吸湿性が良く、柔らかさ保持の面で、綿糸が好ましい。
【実施例】
【００１２】
（実施例１）
ドビー織機を用い、二重ビーム（ガーゼビーム、起毛糸ビーム）、綜絖（ヘルドともいう）枠数１２枚を用いて図２に示す組織図に基づいて織成した。
【００１３】
図１は、本願考案二重織物実施例１の概略見取り図であり、表面はガーゼ、裏面は起毛毛布からなる二重紋織物を示す。
【００１４】
図２は、同実施例１の織物組織図を示す。たての１〜１４の数字は、緯糸ピック数を示す。よこの１〜１２の数字は綜絖枠枚数を示す。Ｐはパイル糸、Ｇはガーゼ糸を示す。Ａは上げる、Ｓは沈む、Ｔは止める（引っ掛け）を示す。
【００１５】
図３は、同実施例１の二重織物を織前から見た断面図を示す。
【産業上の利用可能性】
【００１６】
夏はサラッとした感じ、冬は保温性があって暖かく、発汗放出、保温、吸水性も高い。また、通気性が良く、保温性も十分兼ね備えており、家庭用洗濯機で洗濯が可能であり、乾燥が早いのも特徴の一つである。更に、ガーゼ組織は、肌触りが良く、柔らかいのが特徴であり、ジャカード機で製織をおこなえば、美的感覚、デザイン性効果は抜群のガーゼ毛布が提供できる。
【符号の説明】
【００１７】
１ガーゼ部
２起毛毛布部      
３接結糸      
【図１】
0003167958.tif 000003
【図２】
0003167958.tif 000004
【図３】
0003167958.tif 000005
(57)【要約】【課題】厚みが増し、滑り止めの落下防止、通気性、保温効果を兼ね備えている多層型手袋構造を提供する。【解決手段】横編みで作られる手袋の表地で、該手袋の表地と接結する裏地も、横編みで編まれるものであり、該裏地の裏地糸は、縦糸、横糸と毛糸で織り込まれてなり、該裏地糸の組織紗は、縦糸と横糸、毛糸のニット編みが行なわれ、そして耳切りの切断処理が行なわれるものであり、また、該裏地糸は、一般的な短繊維糸ではなく、組織纖維の一種で、すなわち、俗称組織紗、フェザー糸、絨紗や半邊絨紗の糸種類であり、それを編んで仕上げたあと、手袋が更に膨らみ、快適感が感じられるが、それに、該手袋の外観には、単色、縞模様または文様に設けられるが、該文模は、紋織りが行なわれることを特徴とする。【選択図】図２
0003167953.tif 000002
【実用新案登録請求の範囲】
【請求項１】
縦糸と横糸が織り込まれた表地を有するニット手袋で、そして、裏地と該表地を接結してなることを特徴とする多層型手袋構造。
【請求項２】
該裏地と表地の接結は、表地の底部に入口部が設けられるが、該入口部を内側に折り返し、その端部縁を該裏地に合わせて縫製するように設けられていることを特徴とする請求項１に記載の多層型手袋構造。
【請求項３】
該裏地は、縦糸、横糸と裏地糸で織り込んでなり、該裏地糸は、耳切りの切断処理が行なわれるが、該裏地糸は、一般的な短繊維糸ではなく、組織纖維の一種であり、すなわち、俗称組織紗、フェザー糸、絨紗や半邊絨紗という種類であることを特徴とする請求項１に記載の多層型手袋構造。
【請求項４】
該手袋の外観に文様があってもよいが、該文様は、紋織りが行なわれるが、一般的な単色手袋または縞模様の手袋に設けられてもよいことを特徴とする請求項１〜３の何れかの項に記載の多層型手袋構造。
【考案の詳細な説明】
【技術分野】
【０００１】
本考案は、手袋に関わり、特に、ニット手袋及びその裏地の構造に関する。
【背景技術】
【０００２】
従来の編み方は、ニットマシンで特別な順序で、手袋の各エリアを編むことになるが、一般的に言えば、指を一本ずつ編むが、まず、小指から、次は薬指、中指、最後は人差し指になるが、それを仕上げたあと、ニットマシンで、まず手のひらの上部、それから親指と手のひらの下部を編むが、最後は、ニットマシンで、腕部を希望の長さに編むことにする。従来のニット手袋構造は図４に示すように、縦糸、横糸をニットマシンで編んで仕上げたものである。
【考案の概要】
【考案が解決しようとする課題】
【０００３】
上述の縦糸と横糸の二糸で織り込んでなる手袋はわりと薄手で、重荷の運搬に使用される場合、手に怪我をしたり、重荷が手から滑ってしまったり、または寒いときに用いられる場合、保温が悪く、快適効果がないから。従来のニット手袋構造は上述のように困難なところがあり、それを改善しなければならない。本考案は、増厚型ニット手袋構造を提供することを目的とし、快適な装着感の得られるニット手袋構造を提供することをもう一つの目的とし、デザイン性を備えた単色、縞模様または文様あるニット手袋構造を提供することをまたもう一つの目的とする。
【課題を解決するための手段】
【０００４】
それを鑑みて、本考案の発明者は長い間、手袋編みに関する研究や考えの融合によって、多層型手袋構造を発明したが、該多層型手袋構造は、横編みで編まれる手袋の表地が備わり、該ニット手袋の表地は更に、同じく横編みの裏地があるが、該裏地と手袋の表地を接結してなるものであり、両者の接結は、表地の底部に入口部が設けられるが、該入口部をその向きに内側に折り、その端部縁を該裏地に合わせて縫製するように設けられているが、
本考案の裏地にある裏地糸は、横編みで編まれるもので、横編み機といった手袋機で編まれるが、該裏地の裏地糸の組織紗は、縦・横糸で交編み、耳切りの切断処理が行なわれるが、該裏地糸は、一般的な短繊維糸ではなく、組織纖維の一種であり、すなわち、俗称組織紗、フェザー糸、絨紗や半邊絨紗という種類であり、該手袋の表地は、単色にしても、縞模様や文様があってもよく、そして、該文様は紋織りが行なわれるものである。
【考案の効果】
【０００５】
１．  本考案の手袋の多層構造により、手袋の厚みが増し、重荷の運搬に使用される場合、手が簡単に怪我せず、運搬物が簡単に手から落下したりしないこと。
【０００６】
２．  本考案の手袋の裏地の裏地糸で作られる短毛により、裏地をより膨張させ、装着時の快適感と保温性を保つことができること。
【０００７】
３．  本考案の手袋の外観は、紋織り、単色、縞模様入りにより、文様があって、その外観が多様性の変化をもつこと。
【図面の簡単な説明】
【０００８】
【図１】本考案の実施例の手袋の外観図。
【図２】本考案の実施例の手袋の剖面図。
【図３】図２の裏地の裏地糸の局所拡大図。
【図４】本考案の実施例の手袋裏地にある裏地糸の耳切りの切断処理が行なっているイメージ。
【図５】従来の構造図。
【考案を実施するための形態】
【０００９】
まず、図１と図２に示すのは、表地１１と裏地１２を備えてなる本考案の多層型手袋構造であり、
該表地１１は、何れかの糸を、ニット手袋機など何れかの横編み機で編まれるものであり、ニットマシンで織り込まれる手袋１の表地１１であり、該表地１１の底部の下方に入口部１１３が設けられるが、該入口部１１３は手を入れるところであり、
図３と図４に示すように、該裏地１２も同じく手袋機といった横編み機で編まれるが、本考案の使用される裏地糸は俗称組織紗、フェザー糸、絨紗などの糸種類であり、横糸に用いられる毛糸１２１が、ニットマシンによって、縦糸１１１と共に編まれるようになるが、特に付け加えておきたいのは、裏地１２は表地１１より、糸種類が一つ多くなるが、すなわち毛糸１２１が使用されるからであり、図３に示すような紗種組織はすなわち組織紗、フェザー糸、絨紗などであり、裏地１２にいわゆるループ１２２構造があるが、該ループ１２２は横糸の毛糸１２１を回してなるものであり、図４に示すように、該ループ１２２は更に、耳切りの切断処理が行なわれるが、それにより、裏地１２をより膨らませるようにするが、
該裏地１２は表地１１に設けられ、該裏地１２と該表地１１を接結することになるが、図２に示すように、その接結は、表地１１の底部に入口部１１３があり、該入口部１１３を内側に折り返し、その端部縁１１４を該裏地１２に合わせて縫製するように設けられている。
【００１０】
本考案の手袋は、上述の多層技術により、厚みが増し、滑り止め、通気性、保温効果を兼ね備えたものであり、上述した内容は、本考案の具体的な実施例及びその運用の技術原理に関するものであり、本考案のコンセプトをもとに、それを改造などして得られる機能、作用は、説明書や図面に述べている範囲に該当する場合、すべて本考案の実用新案登録請求の範囲に含まれるものとする。
【符号の説明】
【００１１】
１        手袋
１１      表地
１１１    縦糸
１１３    入口部
１１４    端部縁
１２      裏地
１２１    毛糸
１２２    ループ
１３      文様
【図１】
0003167953.tif 000003
【図２】
0003167953.tif 000004
【図３】
0003167953.tif 000005
【図４】
0003167953.tif 000006
【図５】
0003167953.tif 000007
(57)【要約】      （修正有）【課題】一般的に、雪下ろし作業はスコップやスノーダンプのように作業者の力と両手に頼っている。傾斜のある屋根に積もった雪を、屋根を傷つけず迅速に下ろし、かつ作業者の安全の確保と労力の軽減を目的にした雪下ろし具を提供する。【解決手段】作業者は雪の斜面に沿って本体を突き刺すだけであり、雪は円筒の中を滑って落下する。下からの作業を考慮して、雪が離脱しやすいように、筒の先端部はししおどし型とする。主に片手で作業をし、場所によっては上から、また下から、斜め左右いずれの方向からでも作業は可能である。また、取っ手付き延長棒を付けることで、作業者からより離れた場所の雪下ろしが可能なため危険度も軽減できる。【選択図】図１
0003167909.tif 000002
【実用新案登録請求の範囲】
【請求項１】
本体はトンネル状の円筒で、雪に突き刺す先端部は、ししおどし型の斜めの切り口を持つ。これに、着脱可能な取っ手付き延長棒を取り付ける。本体には二つの取っ手を設ける。そのうちの一つは延長棒を付けて作業する場合にも使用できる雪下ろし具。
【考案の詳細な説明】
【技術分野】
【０００１】  本考案は、屋根雪下ろし具に関する。
【背景技術】
【０００２】  一般的に、屋根雪下ろし具ではスコップやスノーダンプが使用される。
【考案の開示】
【考案が解決しようとする課題】
【０００３】  しかし、豪雪地方でのこの作業には体力と根気を必要とする。屋根に傷をつける場合も多く、高い屋根の端での作業は常に危険が伴う。また、下からの作業には限界がある。
【課題を解決するための手段】
【０００４】  そこで、できるだけ体力を使わず、屋根を傷めず、かつ危険性を少なくするための道具として、雪の自然落下を利用して雪を滑り落とすトンネル状の円筒形道具を考案した。なお、雪に突き刺す筒の先端部は、ししおどし型の斜めの切り口とする。（図１）
【考案の効果】
【０００５】  この雪下ろし具使い方は、屋根雪の表面近くを斜面に沿って筒を突き刺したり引いたりを繰り返すだけである。主に片手で作業を行うが、１回の動きでスコップの約５倍の量の雪下ろしが可能である。上からの作業では前方先端部の穴から雪を吐き出し、下からの作業では作業者側の穴から雪を吐き出す。左右に筒の角度を工夫することで、作業者以外の方向に雪を落とすことができ、下からの作業にも危険性はない。
【考案を実施するための最良の形態】
【０００６】  本考案に係る円筒型雪下ろし具は、作業の省力化と危険の軽減が最大のねらいである。そのために円筒部に入った雪の自然落下を利用するので、円筒部の素材としてはできるだけ滑りやすく、薄くて軽くて丈夫なもの（例えばポリプロピレン）が望ましい。また、作業効率を考えると直径は２５ｃｍ前後で、長さは家の中の２階窓から屋根に上ったりする場合を想定すると１８０ｃｍ位が適当と考えられる。なお、延長棒は着脱可能なねじ込み式とする。作業者の両手間隔を考えると実質の延長部は約６０ｃｍ位が適当で、取っ手を付けて作業者が腕を伸ばした場合は、最長約３ｍ先までの雪下ろしが可能となる。
【図面の簡単な説明】
【０００７】
【図１】  本考案に係る円筒型雪下ろし具を、作業者側から見た全体図である。
【図２】  取っ手付延長棒（着脱式）の平面図である。
【図３】  本体取っ手部（ＬとＲ）の断面図である。
【図４】  雪下ろしを上から作業する場合の断面図である。
【図５】  雪下ろしを下から作業する場合の断面図である。
【符号の説明】
【０００８】  １      空洞の円筒
２      延長棒取っ手部
３      延長棒ねじ止めストッパー
４      延長棒固定用ねじ山付き
５      ししおどし型空洞円筒先端部
Ｌ      本体取っ手部Ｌと延長棒受け穴部
Ｒ      本体取っ手部Ｒと延長棒固定部（ねじ溝付き）
Ｓ      積雪部の断面
Ｙ      家屋屋根の断面
【図１】
0003167909.tif 000003
【図２】
0003167909.tif 000004
【図３】
0003167909.tif 000005
【図４】
0003167909.tif 000006
【図５】
0003167909.tif 000007
(57)【要約】      （修正有）【課題】柔らかく、なめらかで、毛髪、頭皮を傷つけることが少ない整髪用ブラシのピン又はくし歯を提供する。【解決手段】ポリアミド樹脂に植物油脂エマルジョンを吸収させる。【選択図】図２
0003167923.tif 000002
【実用新案登録請求の範囲】
【請求項１】
ポリアミド樹脂に植物性油脂エマルジョンを吸収させた整髪用のブラシのピンまたはくし歯
【考案の詳細な説明】
【技術分野】
【０００１】この考案は毛髪を整える整髪具に関するものである。
【背景技術】
【０００２】従来の整髪具は合成樹脂製のクシや合成樹脂製のピンを植設したブラシが多くつくられている。
【考案の開示】
【考案が解決しようとする課題】
【０００３】従来の整髪具である合成樹脂製のクシやブラシは［図１］のように棒状、歯状の合成樹脂の先端が頭皮に直接あたって、痛いことや、頭皮を傷つけることがある。
【課題を解決するための手段】
【０００４】［図２］のように本考案のポリアミド樹脂に植物油エマルジョンを吸収させた整髪用のブラシのピンまたはクシ歯を提供する。
【考案の効果】
【０００５】本考案のポリアミド樹脂に植物油エマルジョンを吸収させた整髪用のブラシのピンまたはクシ歯は  他の合成樹脂の整髪用のブラシのピンまたはクシ歯に比べて水分を多く含むため柔らかく、植物油が表面のすべりをよくするので  毛髪でとかしたときに柔らかく、すべりがよいので毛髪にダメージをあたえにくく、頭皮にもソフトなタッチで、頭皮を傷つけることが少なくなる。
【実施例】
【０００６】本考案のピン、クシ歯は柔らかく、なめらかなので  毛髪、頭皮を傷つけることが少なくなる。
【産業上の利用可能性】
【０００７】本考案は従来と違ったソフトな整髪を可能にし、快適な整髪を提供する。
【図面の簡単な説明】
【０００８】
【図１】従来の整髪用具のピンまたはクシ歯
【図２】本考案の整髪用具用のピンまたはクシ歯
【図１】
0003167923.tif 000003
【図２】
0003167923.tif 000004
(57)【要約】      （修正有）【課題】髪の毛の量を複数段階で調節でき、ずれにくく、片手で開閉自在な髪止め具を提供する。【解決手段】上部２の髪当接側に、先端近傍から折曲部近傍に渡ってエラストマー製の髪押さえ部４が設けられており、この髪押さえ部４は、上部２に台形状の突出部９が設けられており、下部３の髪当接側にはエラストマー製の層１０が設けられ、上部２の先端部と下部３の先端部には互いに係合する係合部６，７を有し、Ｕ字状折曲部５は、反撥機能を介することを特徴とし、上部２の先端部と下部３の先端部は、複数段階調整し得る係合部を介し、前記一方の先端部の係合部は複数の突起部１１を有する係合片６からなり、他方の係合部は係合片挿入孔７、及び係合片係止部８とからなる係合部が設けられている。【選択図】図１
0003167924.tif 000002
【実用新案登録請求の範囲】
【請求項１】
弾性を備えた硬質合成樹脂から成る帯状の上部（２）と、Ｕ字状折曲部（５）を介して接続する帯状の下部（３）とから成る髪止め具（１）であって、
前記上部（２）の髪当接側に、先端近傍から前記折曲部近傍に渡ってエラストマー製の髪押さえ部（４）が設けられており、この髪押さえ部（４）は、上部（２）に台形状の突出部（９）が設けられており、前記下部（３）の髪当接側にはエラストマー製の層（１０）が設けられ、前記上部（２）の先端部と前記下部（３）の先端部には互いに係合する係合部（６）（７）を有し、前記Ｕ字状折曲部（５）は、反撥機能を介することを特徴とする髪止め具。
【請求項２】
前記上部（２）の先端部と前記下部（３）の先端部は互いに係合し、又複数段階調整し得る係合部を介し、前記一方の先端部の係合部は複数の突起部（１１）を有する係合片（６）からなり、他方の係合部は係合片挿入孔（７）、及び該係合片係止部（８）とからなる係合部であることを特徴とする請求項１記載の髪止め具。
【考案の詳細な説明】
【技術分野】
【０００１】  本考案は、硬質合成樹脂から成る髪止め具であって、強度を複数段階に調節できる係合部と、エラストマー層を設けたＵ字状の髪止め具に関するものである。
【背景技術】
【０００２】  従来、金属製の１段階で止める係合部と枢支部の設けられた髪止め具で、装着時に位置がずれやすく、挟もうとする髪の毛の量を調節できる髪止め具ではなかった。
【考案の概要】
【考案が解決しようとする課題】
【０００３】  挟む髪の毛の量を複数段階で調節し、ずれにくく、片手で開閉操作ができる髪止め具が求められるようになってきた。【０００４】  そこで本考案は、髪の毛を挟む部分をずれにくくし、複数段階で挟もうとする髪の毛の量を調節できる、ワンタッチで開閉自在な髪止め具の提供を課題とする。
【課題を解決するための手段】
【０００５】  弾性を備えた硬質合成樹脂から成る帯状の上部（２）と、Ｕ字状折曲部（５）を介して接続する下部（３）とから成る髪止め具（１）であって、
前記上部（２）の髪当接側に、先端近傍から前記折曲部近傍に渡ってエラストマー製の髪押さえ部（４）が設けられており、この髪押さえ部（４）は、上部（２）に台形状の突出部（９）が設けられており、前記下部（３）の髪当接側にはエラストマー製の層（１０）が設けられ、前記上部（２）の先端部と前記下部（３）の先端部には互いに係合する係合部（６）（７）を有し、前記Ｕ字状折曲部（５）は、反撥機能を介することを特徴とし、前記上部（２）の先端部と前記下部（３）の先端部は、複数段階調整し得る係合部を介し、前記一方の先端部の係合部は複数の突起部（１１）を有する係合片（６）からなり、他方の係合部は係合片挿入孔（７）、及び該係合片係止部（８）とからなる係合部が設けられていることにより課題を解決している。
【考案の効果】
【０００６】  本考案は上記の通りであり、従来の髪止め具では、複数段階の調節ができなかったが調節でき、エラストマー層を設けることにより、すべりにくく髪の毛を止めることが可能となる。
【図面の簡単な説明】
【０００７】
【図１】使用する前の、髪止め具の開いた上体の本考案に係る側面図。
【図２】底面図で、係合片挿入孔（７）、係止部（８）の状態
【図３】係合部の状態
【図４】髪の毛を挟んだ状態  上記課題を解決するために案出した本考案の髪止め具の実施例を説明する。
【実施例】
【０００８】  以下、図示した実施例について説明する。
まず、図１に示すように、髪止め具上部（２）に設けられた台形状の突出部（９）と下部（３）に設けられたエラストマー層（１０）の間に髪の毛を挟む。【０００９】  次に、図２に示すように、係合片（６）を長孔（７）にはめ込み係止部（８）で固定する。【００１０】  図３に示すように、突起部（１１）を有する係合片（６）、係合片挿入孔（７）、係止部（８）の拡大図であって、髪の毛を外す時は、係合片（６）の両外側から内側に押すことにより係止部（８）が外れ、係合片挿入孔（７）から抜くことができる。【００１１】  図４は、髪の毛を挟んだ時の図である。
【符号の説明】（１）髪止め具の全体図
（２）髪止め具  上部
（３）髪止め具  下部
（４）エラストマー製髪押さえ部
（５）Ｕ字状折曲部
（６）係合片
（７）係合片挿入孔
（８）係止部
（９）エラストマー製の台形状の突出部
（１０）エラストマー製の層
（１１）複数の突起部
【図１】
0003167924.tif 000003
【図２】
0003167924.tif 000004
【図３】
0003167924.tif 000005
【図４】
0003167924.tif 000006
(57)【要約】      （修正有）【課題】紙面全体を均一に照らすことができると共に、書籍の読み易い両開き状態で取り付け固定することができる読書用照明器具を提供する。【解決手段】ＬＥＤを光源として面発光する横長の長方形状導光板１１と電源を備えた面発光モジュール１０の両側部に、一対のクリップ３０が回動自在に軸着されていることを特徴とする読書用照明器具。【選択図】図１
0003167022.tif 000002
【実用新案登録請求の範囲】
【請求項１】
ＬＥＤを光源として面発光する横長の長方形状導光板と電源を備えた面発光モジュールの両側部に、一対のクリップが回動自在に軸着されていることを特徴とする読書用照明器具。
【請求項２】
前記面発光モジュールが、当該面発光モジュールを上下スライド動自在に保持する枠体を備えていると共に、前記クリップが、当該枠体に軸着されていることを特徴とする請求項１記載の読書用照明器具。
【請求項３】
前記クリップが、可撓性を有する本体部と、当該本体部に設けた切り込みにより形成された舌片部とから成ることを特徴とする請求項１又は２記載の読書用照明器具。
【考案の詳細な説明】
【技術分野】
【０００１】
本考案は、一般にはブックライトとも称されている小型の照明器具で、周囲が暗い環境において書籍等を読む際に使用される読書用照明器具に関する。
【背景技術】
【０００２】
従来の読書用照明器具は、点発光による照明部を１個のクリップで書籍等の頁に挟むことにより固定し、当該点発光により紙面を照らす構造となっていた（例えば、特許文献１参照）。
【０００３】
しかしながら、斯かる従来の読書用照明器具は、点発光であったが故に、一部分のみがまぶしいほどに明るいものの、それ以外の部分では光量が不足し易いため、紙面全体を均一に照らすことができず、目に疲労感を与えると云う問題があった。
また、点発光の故に、取り付け用のクリップは１個に過ぎなかったため、書籍の片側の頁にしか取り付け固定をすることができず、頁を開いた状態、すなわち両開きした状態の書籍への取り付け固定は不可能な結果、実際には読みづらいのが実状であった。
【先行技術文献】
【特許文献】
【０００４】
【特許文献１】意匠登録第１３６９９８９号公報
【考案の概要】
【考案が解決しようとする課題】
【０００５】
本考案は、上記の如き従来の問題と実状に鑑みてなされたものであり、紙面全体を均一に照らすことができると共に、書籍の読み易い両開き状態で取り付け固定することができる読書用照明器具を提供することを課題としている。
【課題を解決するための手段】
【０００６】
本考案は、上記の課題を解決すべく、種々検討を重ねた結果、面発光する導光板を利用すると共に、クリップを一対回動自在に軸着すれば、極めて良い結果が得られることを見い出し、本考案を完成した。
【０００７】
すなわち、本考案は、ＬＥＤを光源として面発光する横長の長方形状導光板と電源を備えた面発光モジュールの両側部に、一対のクリップが回動自在に軸着されていることを特徴とする読書用照明器具により上記課題を解決したものである。
【考案の効果】
【０００８】
本考案によれば、面発光により照明されるので、紙面全体を広範囲に、かつ均一な照度で照らすことができると共に、一対のクリップにより頁を両開きした状態で書籍に取り付け固定することができるので、極めて読み易い照明が得られ、目に疲労感を与えることがない。
しかも、面発光モジュールとクリップが回動自在となっているため、最適な照明効果が得られる照明角度に調整することができる。
【０００９】
また、面発光モジュールが、当該面発光モジュールを上下スライド動自在に保持する枠体を備えている態様で実施すれば、当該面発光モジュールの上下スライド動により、最適な照明効果が得られる照明位置に調整することができる。
【図面の簡単な説明】
【００１０】
【図１】本考案読書用照明器具の斜視図。
【図２】本考案読書用照明器具の平面図。
【図３】図２のＡ−Ａ線断面図。
【図４】本考案読書用照明器具の使用状態を示す斜視図。
【考案を実施するための形態】
【００１１】
以下本考案の実施の形態を図面と共に説明する。
【００１２】
図面において、１０は面発光モジュールで、一つ又は複数のＬＥＤ（図示省略）を光源として入射された光を内部の反射及び表面パターンによる反射によって面発光する横長の長方形状導光板１１と、当該ＬＥＤに電気を供給する電源１２とを備えている。尚、ここに電源１２としては、ボタン電池が好適に用いられ、電源のオン／オフ操作は面発光モジュール１０に適宜付設されたボタンスイッチ等により行なわれる。
【００１３】
２０は上方が開放されているコの字状の枠体で、その内周壁にスライド用溝２１が形設されており、面発光モジュール１０を上下スライド動自在に保持している。尚、この枠体２０には適宜スライドストッパー手段を設けるのが、所望の位置で面発光モジュール１０をより確実に停止し得るので望ましい。
【００１４】
３０はクリップで、面発光モジュール１０を保持している枠体２０の両側部に、回動自在に軸着されている。尚、ここに回動自在の軸着としては、枠体２０の両側部に設けられた凹部２２に、クリップ３０の端部に突設された軸部３１を回転自在に嵌挿するのが簡便である。
【００１５】
また、クリップ３０の構造としては、書籍の頁に挟持し得るものであれば、特に限定されないが、可撓性を有する平板状の本体部３０ａと、当該本体部３０ａに設けた切り込みにより形成された舌片部３０ｂとから成るものが好適に用いられる。尚、この場合、平板状の本体部３０ａは、枠体２０との軸着部付近でひねり、その大部分が平面視において平板状となるようにするのが、書籍への挟持操作性に優れるので望ましい。
【００１６】
次に、上記の実施の形態に係る読書用照明器具の使用方法を説明する。
まず、読書しようとする頁を開き、クリップ３０の平板状本体部３０ａをしおりのように頁と頁の間に差し込みつつ、舌片部３０ｂで所望の頁で挟持固定すれば、図４に示すような状態となる。
そこで、電源１２のスイッチをオンにし、面発光モジュール１０を適宜回動させて照明角度を最も効果的な角度に調整すると共に、面発光モジュール１０を枠体２０から適宜上下スライド動させて照明位置を最も効果的な位置に調整すれば、最適な照明が得られるので、周囲が暗い環境であっても、読み易い両開きの状態で、しかも目に疲労感を与えることなく読書することができる。
【符号の説明】
【００１７】
１０：面発光モジュール
１１：導光板
１２：電源
２０：枠体
２１：スライド溝
２２：凹部
３０：クリップ
３０ａ：本体部
３０ｂ：舌片部
３１：軸部
【図１】
0003167022.tif 000003
【図２】
0003167022.tif 000004
【図３】
0003167022.tif 000005
【図４】
0003167022.tif 000006